(57)【要約】【課題】  鉛直に設置される場合に安定してディスクをローディングしうるように改善した光ディスクドライブを提供すること。【解決手段】  スピンドルモーターに設置されたターンテーブルと対面してディスクを支持して回転するクランピング機構を含み、クランピング機構は、ディスクが搭載部から離脱しないようにスピンドルモーターがディスクに接近することによって磁気力によってディスクに接近するクランパーと、スピンドルモーターがディスクから離隔することによってクランパーをディスクから離隔させる復帰部材とを含むことを特徴とする光ディスクドライブ。これにより、ターンテーブルの反対側でクランピング機構がディスクの一面を支持することによって安定したディスクのローディング／アンローディングが可能である。また、光ディスクドライブを鉛直に設置して使用する場合にも一般的に使われる直径が１２０ｍｍのディスクはもとより、直径が８０ｍｍのディスクなど小径のディスクも安定してローディング／アンローディングしうる。【選択図】  図５
2005032421.tif 000002
【特許請求の範囲】
【請求項１】
ディスクが搭載される搭載部を具備し、ローディング／アンローディングされるトレーと、
前記ディスクの一面を支持するターンテーブルを具備し、前記ディスクに対して接近／離隔しうるように設置されるスピンドルモーターと、
前記ターンテーブルと対面して前記ディスクの他面を支持して回転されるクランピング機構と、を含み、
前記クランピング機構は、
クランピングが完了していない状態で前記ディスクが前記搭載部から離脱しないように前記スピンドルモーターが前記ディスクに接近することによって生じる磁気力により前記ディスクに接近するクランパーと、
前記スピンドルモーターが前記ディスクから離隔することによって前記クランパーを前記ディスクから離隔させる復帰部材と、を含むことを特徴とする光ディスクドライブ。
【請求項２】
前記復帰部材は、前記クランパーを前記ディスクから離隔させる方向に付勢させる弾性部材を含むことを特徴とする請求項１に記載の光ディスクドライブ。
【請求項３】
前記弾性部材は、前記クランパーと一体に形成されることを特徴とする請求項２に記載の光ディスクドライブ。
【請求項４】
前記クランピング機構は、
前記クランパーを遊動しうるように支持する支持部材をさらに具備し、
前記復帰部材は、前記クランパーを前記支持部材に対して前記ディスクから離隔させる方向に付勢させる弾性部材を含むことを特徴とする請求項１に記載の光ディスクドライブ。
【請求項５】
前記復帰部材は、前記ターンテーブルと対面して位置し、磁気力により前記クランパーを前記ディスクから離隔させるマグネットを含むことを特徴とする請求項１に記載の光ディスクドライブ。
【請求項６】
前記搭載部は第１ディスクが搭載される第１搭載部と、前記第１ディスクより小径の第２ディスクが搭載されるように前記第１搭載部と段差をつけて形成される第２搭載部を含むことを特徴とする請求項１に記載の光ディスクドライブ。
【請求項７】
前記トレーは、
前記第１搭載部の上向き方向にある該トレーの上面から延在して前記第１ディスクが前記第１搭載部から離脱することを防止する第１離脱防止部と、前記第１搭載部から上向きに延在して前記第２ディスクが前記第２搭載部から離脱することを防止する第２離脱防止部とをさらに具備することを特徴とする請求項６に記載の光ディスクドライブ。
【請求項８】
前記第１ディスク及び前記第２ディスクは、それぞれ、１２０ｍｍ、８０ｍｍの直径を有することを特徴とする請求項６に記載の光ディスクドライブ。
【請求項９】
相互に対面して位置する第１フレーム及び第２フレームと、
前記第１フレームに摺動可能に設置されてディスクを搭載し、ローディング／アンローディングされるトレーと、
前記ディスクの一面を支持するターンテーブルを具備し、前記ディスクに対して接近／離隔しうるように前記第１フレームに設置されるスピンドルモーターと、
前記第２フレームに回転しうるように設置され、前記ターンテーブルと対面して前記ディスクの他面を支持して回転するクランピング機構と、を含み、
前記クランピング機構は、
クランピングが完了していない状態で前記ディスクが前記搭載部から離脱しないように前記スピンドルモーターが前記ディスクに接近することによって生じる磁気力により前記ディスクに接近するクランパーと、
前記スピンドルモーターが前記ディスクから離隔することによって前記クランパーを前記ディスクから離隔させる復帰部材と、を含むことを特徴とする光ディスクドライブ。
【請求項１０】
前記復帰部材は一端が前記第２フレームに回転しうるように支持され、他端が前記クランパーに連結されて前記クランパーを前記第２フレームに対して前記ディスクから離隔させる方向に付勢させる弾性部材を含むことを特徴とする請求項９に記載の光ディスクドライブ。
【請求項１１】
前記弾性部材は前記クランパーと一体に形成されることを特徴とする請求項１０に記載の光ディスクドライブ。
【請求項１２】
前記クランピング機構は、前記第２フレームに回転しうるように設置され、前記クランパーを遊動可能に支持する支持部材をさらに具備し、
前記復帰部材は、前記クランパーを前記支持部材に対して前記ディスクから離隔させる方向に付勢させる弾性部材を含むことを特徴とする請求項９に記載の光ディスクドライブ。
【請求項１３】
前記復帰部材は、前記第２フレームに設けられて磁気力によって前記クランパーを前記ディスクから離隔させるマグネットを含むことを特徴とする請求項９に記載の光ディスクドライブ。
【請求項１４】
前記搭載部は、
第１ディスクが搭載される第１搭載部と、
前記第１ディスクより小径の第２ディスクが搭載されるように前記第１搭載部と段差をつけて形成される第２搭載部とを含むことを特徴とする請求項９に記載の光ディスクドライブ。
【請求項１５】
前記トレーは、
前記第１搭載部の上向き方向に延在して前記第１ディスクが前記第１搭載部から離脱することを防止する第１離脱防止部と、前記第１搭載部から上向きに延在して前記第２ディスクが前記第２搭載部から離脱することを防止する第２離脱防止部とをさらに具備することを特徴とする請求項１４に記載の光ディスクドライブ。
【請求項１６】
前記第１ディスク及び前記第２ディスクは、それぞれ、１２０ｍｍ、８０ｍｍの直径を有することを特徴とする請求項１４に記載の光ディスクドライブ。
【発明の詳細な説明】
【技術分野】
【０００１】
本発明は光ディスクドライブに係り、特に、水平及び鉛直に設置されて使用しうる光ディスクドライブに関する。
【背景技術】
【０００２】
光ディスクドライブは、ＣＤ、ＤＶＤなどのディスク形状の光媒体（以下、“ディスク”）に光を照射して情報を書き込むか、読取る装置をいう。
【０００３】
図１は、従来の光ディスクドライブの一例を示した平面図であり、図２は、図１の概略的なＩ−Ｉ´線断面図である。
【０００４】
図１及び図２を見れば、フレーム１０に対してトレー２０が摺動するように設置される。フレーム１０にはディスク５０を回転させるスピンドルモーター３１と、ディスク５０の半径方向に摺動しながらディスク５０にアクセスする光ピックアップ部３２が設置されたデッキ部３０とが設けられる。デッキ部３０はトレー２０より下で昇降できるように設けられる。また、フレーム１０にはトレー２０をローディング／アンローディングさせるローディングモーター１３が設けられる。フレーム１０より上にはカバー４０が設けられ、カバー４０にはクランパー４１が設けられる。
【０００５】
ディスク５０をトレー２０の第１搭載面２１に搭載し、ローディングモーター１３を回転させれば、トレー２０が図面のＡ方向に摺動してローディングされる。トレー２０のローディングが完了すれば、デッキ部３０が上昇する。ディスク５０の下面５１はスピンドルモーター３１の回転軸に設けられたターンテーブル３４に接触し、ディスク５０はデッキ部３０と共に上昇する。ディスク５０の上面５２にクランパー４１が接触すれば、ディスク５０はターンテーブル３４とクランパー４１とにより支持される。この時、ディスク５０は図２に示すように第１搭載面２１から上に若干離隔した位置となる。この位置で、スピンドルモーター３１が回転することによってディスク５０も回転し、光ピックアップ３２はディスク５０の半径方向に摺動しながらディスク５０にアクセスして情報を書込み及び／又は読取りする。ディスク５０をアンローディングする過程は前述したローディング過程の逆順である。
【０００６】
光ディスクドライブは、通常、図１に示すように水平に設置されて使われるのが普通であるが、最近は図３に示すように鉛直に設置して使われる傾向が高まっている。光ディスクドライブが鉛直に設置されて使われる場合には、ディスク５０をローディングさせる途中でディスク５０が第１搭載面２１から離脱することを防止するために図１及び図２に示すように第１搭載面２１より上に若干延在する突起２３が設けられる。ディスク５０の下面５１とターンテーブル３４とが接触した後でディスク５０の上面５２がクランパー４１に接触するまでの上昇区間（図２のＤ１）の間にディスク５０はターンテーブル３４にのみに接触している。したがって、鉛直に設置される場合にはディスク５０がターンテーブル３４から離脱する可能性がある。
【０００７】
光ディスクドライブには、普通、直径が１２０ｍｍであるディスク５０が使われるが、最近は直径が８０ｍｍであるディスク６０の使用が増加する傾向にある。図４に示すように、ディスク６０を搭載するためにトレー２０には第１搭載面２１から下に段差を付けた第２搭載面２２が設けられる。光ディスクドライブが鉛直に設置された状態でディスク６０をローディングさせれば、前述したようにトレー２０がローディングされる途中でディスク６０を第２搭載面２２から離脱しうる。また、第２搭載面２２は第１搭載面２１より下に段差を付けているので、ディスク６０の下面６１とターンテーブル３４とが接触した後でディスク６０の上面６２がクランパー４１に接触するまでの上昇区間Ｄ２は、直径１２０ｍｍのディスク５０を搭載する場合の上昇区間Ｄ１よりさらに遠い。したがって、ディスク６０がクランパー４１に接触する前にディスク６０がターンテーブル３４から離脱する可能性が非常に高い。
【発明の開示】
【発明が解決しようとする課題】
【０００８】
本発明は前記問題点を解決するために創出されたものであって、鉛直に設置される場合に安定してディスクをローディングしうるように改善した光ディスクドライブを提供することを目的とする。また、鉛直に設置される場合に直径の異なる２種のディスクを安定してローディングしうるように改善した光ディスクドライブを提供することを目的とする。
【課題を解決するための手段】
【０００９】
前述した目的を達成するための本発明の光ディスクドライブは、ディスクが搭載される搭載部を具備し、ローディング／アンローディングされるトレーと、前記ディスクの一面を支持するターンテーブルを具備し、前記ディスクに対して接近／離隔するように設置されるスピンドルモーターと、前記ターンテーブルと対面して前記ディスクの他面を支持して回転されるクランピング機構と、を含み、前記クランピング機構は、クランピングが完了していない状態で前記ディスクが前記搭載部から離脱しないように前記スピンドルモーターが前記ディスクに接近することによって生じる磁気力により前記ディスクに接近するクランパーと、前記スピンドルモーターが前記ディスクから離隔することによって前記クランパーを前記ディスクから離隔させる復帰部材と、を含むことを特徴とする。
【００１０】
一実施例として、前記復帰部材は前記クランパーを前記ディスクから離隔せれる方向に付勢させる弾性部材を含むことができ、前記弾性部材は前記クランパーと一体に形成しうる。
【００１１】
一実施例として、前記クランピング機構は前記クランパーを遊動可能に支持する支持部材をさらに具備し、前記復帰部材は前記クランパーを前記支持部材に対して前記ディスクから離隔させる方向に付勢する弾性部材を含みうる。
【００１２】
一実施例として、前記復帰部材は前記ターンテーブルと対面して位置するように磁気力により前記クランパーを前記ディスクから離隔させるマグネットを含みうる。
【００１３】
本発明の一特徴による光ディスクドライブは、相互に対面して位置する第１フレームと第２フレームと、前記第１フレームに摺動可能に設置されてディスクを搭載し、ローディング／アンローディングされるトレーと、前記ディスクの一面を支持するターンテーブルを具備し、前記第１フレームに前記ディスクに対して接近／離隔するように設置されるスピンドルモーターと、前記第２フレームに回転するように設置され、前記ターンテーブルと対面して前記ディスクの他面を支持して回転するクランピング機構と、を含み、前記クランピング機構は、クランピングが完了していない状態で前記ディスクが前記搭載部から離脱しないように前記スピンドルモーターが前記ディスクに接近することによって生じる磁気力により前記ディスクに接近するクランパーと、前記スピンドルモーターが前記ディスクから離隔することによって前記クランパーを前記ディスクから離隔させる復帰部材と、を含むことを特徴とする。
【００１４】
一実施例として、前記復帰部材は一端が前記第２フレームに回転可能に支持され、他端が前記クランパーに連結されて前記クランパーを前記第２フレームに対して前記ディスクから離隔させる方向に付勢する弾性部材を含むことができ、前記弾性部材は前記クランパーと一体に形成しうる。
【００１５】
一実施例として、前記クランピング機構は前記第２フレームに対して回転可能に設置され、前記クランパーを遊動可能に支持する支持部材をさらに具備し、前記復帰部材は前記クランパーを前記支持部材に対して前記ディスクから離隔させる方向に付勢する弾性部材を含みうる。
【００１６】
一実施例として、前記復帰部材は前記第２フレームに設けられて磁気力により前記クランパーを前記ディスクから離隔させるマグネットを含みうる。
【００１７】
前記搭載部は第１ディスクが搭載される第１搭載部と、前記第１ディスクより直径の小さな第２ディスクが搭載されるように前記第１搭載部と段差が付くように形成される第２搭載部と、が含まれ、前記トレーには前記第１搭載部より上に延在して前記第１ディスクが前記第１搭載部から離脱することを防止する第１離脱防止部と、前記第２ディスクが前記第２搭載部から離脱することを防止する第２離脱防止部と、をさらに設けうる。
【００１８】
前記第１ディスク及び第２ディスクは、それぞれ、１２０ｍｍ、８０ｍｍの直径を有しうる。
【発明の効果】
【００１９】
本発明による光ディスクドライブによれば、ターンテーブルの反対側でクランピング機構がディスクの一面を支持することによって安定的なディスクのローディング／アンローディングが可能である。また、光ディスクドライブを鉛直に設置して使用する場合にも一般的に使われる１２０ｍｍディスクはもとより、８０ｍｍディスクなど小径のディスクも安定してローディング／アンローディングしうる。
【発明を実施するための最良の形態】
【００２０】
以下、図面を参照しながら本発明の望ましい実施例を詳細に説明する。
【００２１】
図５は、本発明による光ディスクドライブの一実施例を示した分解斜視図である。
【００２２】
図５を見れば、第１フレーム１１０と、第１フレーム１１０と対面して位置する第２フレーム１２０と、トレー１３０とが示されている。参照符号１６０及び１５０は、それぞれ、ディスク２００を回転させるスピンドルモーターと、ディスク２００にアクセスして情報を書込み及び／又は読取りする光ピックアップである。参照符号１７０はトレー１３０をローディング／アンローディングさせるローディングモーターである。参照符号１７１はローディングモーター１７０により回転されるピニオンである。参照符号３００はクランピング機構である。
【００２３】
第１フレーム１１０にはローディングモーター１７０とピニオン１７１とが設置される。また、第１フレーム１１０にはカム部材１８０が図面のＣ１、Ｃ２方向に摺動可能に設置される。カム部材１８０には１対の第１カム軌跡１８１と、ピニオン１７１と選択的に連結しうる第１ラックギア１８２とが形成される。また、カム部材１８０にはボス１８３が突設される。
【００２４】
第１フレーム１１０にはデッキ１４０が設置される。スピンドルモーター１６０と光ピックアップ１５０とはデッキ１４０に設置される。スピンドルモーター１６０にはディスク２００の下面が載置されるターンテーブル１６１が結合される。ターンテーブル１６１にはマグネット（図示せず）が設けられる。ターンテーブル１６１は磁性体として形成されるか、少なくとも一部が磁性を有するように形成される場合もある。光ピックアップ１５０はガイドシャフト１４３に沿って摺動可能に設置される。デッキ１４０は第１フレーム１１０に設けられた軸１１２に回動可能に結合される。デッキ１４０の前面１４１には２つのシャフト１４２が設置される。２つのシャフト１４２は第１カム軌跡１８１に挿入される。
【００２５】
トレー１３０は第１フレーム１１０に摺動可能に設置される。第１フレーム１１０の両側端部にはトレー１３０の摺動をガイドするために上下方向に相互に離隔した多数のガイド部材１１３、１１４が設けられる。トレー１３０には光ピックアップ１５０がディスク２００にアクセスしうるように貫通した窓１３１が形成される。トレー１３０の両面端部にはガイド部材１１３、１１４間に差し込まれるレール１３２が形成される。トレー１３０の下面には図５に点線で示すようにピニオン１７１と連結される第２ラックギア１３３と、トレー１３０がローディングされることによってカム部材１８０のボス１８３と相互に干渉する第２カム軌跡１３４が設けられる。
【００２６】
トレー１３０にはディスク２００が搭載される搭載部が設けられる。本実施例のトレー１３０には第１ディスク２１０が搭載される第１搭載部１３５と第２ディスク２２０が搭載される第２搭載部１３６とが設けられる。本実施例では１２０ｍｍの直径を有するディスクを第１ディスク２１０、８０ｍｍの直径を有するディスクを第２ディスク２２０という。第２搭載部１３６は第１搭載部１３５から下に段差を付けて形成される。トレー１３０には光ディスクドライブが鉛直に設置される時に備えて、トレー１３０がローディングされる途中に第１ディスク２１０または第２ディスク２２０が第１搭載部１３５または第２搭載部１３６から離脱しないように第１及び第２離脱防止部１３７、１３８が設けられる。第１離脱防止部１３７はトレー１３０の上面１３９から第１搭載部１３５より上に若干延在して形成される。第２離脱防止部１３８は第１搭載部１３５から第２搭載部１３６より上に若干延在して形成される。第１及び第２離脱防止部１３７、１３８は図５に示すようにトレー１３０の摺動方向を基準として、対称に、少なくとも４箇所に設けることが望ましい。
【００２７】
第２フレーム１２０にはターンテーブル１６１と対面してディスク２００の上面を支持して回転するクランピング機構３００が設置される。図６は、図５に示すクランピング機構３００を詳細に示した斜視図であり、図７は、クランピング機構３００を第２フレーム１２０に設置した状態を示す断面図である。
【００２８】
図６を見れば、クランパー３１０と弾性部材３２０とが示されている。本実施例のクランピング機構３００はクランパー３１０をディスク２００から離隔させる復帰部材として弾性部材３２０を使用することを特徴とする。クランパー３１０はターンテーブル１６１と対面してディスク２００の上面を支持する。クランパー３１０にはターンテーブル１６１に設けられたマグネット（図示せず）の磁気力により引かれるように鉄片３１１が設けられる。弾性部材３２０は外周部３２１と内周部３２２とを具備する。外周部３２１と内周部３２２とは３つの螺旋形アーム３２４により連結される。螺旋形アーム３２４の数は３つに限定されるものではなく、必要に応じてより多数の螺旋形アーム３２４を形成しうる。内周部３２２はクランパー３１０と結合される。本実施例の弾性部材３２０は板バネ形態であり、クランパー３１０はプラスチックで製作される。弾性部材３２０の内周部３２２には３つのホール３２３が形成され、クランパー３１０には３つのボス３１２が設けられる。ボス３１２をホール３２３に挿入し、内周部３２２より上に突出するボス３１２の上側部に加熱して融着することによってクランパー３１０と弾性部材３２０とが結合される。弾性部材３２０は図６に示すような板バネ形態に限定されるものではない。
【００２９】
図７を見れば、弾性部材３２０の外周部３２１が第２フレーム１２０に支持されている。弾性部材３２０は第２フレーム１２０に固定的に支持されるものではなく、鉛直及び水平方向に遊動可能に支持される。参照符号１２１は外周部３２１が置かれる支持部である。クランパー３１０は第２フレーム１２０より下に位置する。
【００３０】
このような構成により、光ディスクドライブを鉛直に設置し、第１ディスク２１０と第２ディスク２２０とをローディングする過程を説明する。
【００３１】
まず、第１ディスク２１０をローディングさせる過程を説明する。図５に示すように第１ディスク２１０を第１搭載部１３５に搭載する。ローディングモーター１７０が回転すれば、第２ラックギア１３３と連結したピニオン１７１が回転する。トレー１３０は図５のＢ１方向に摺動する。この時、第１ラックギア１８２はピニオン１７１と離隔していてカム部材１８０は動かない。第１ディスク２１０は第１離脱防止部１３７にかかって第１搭載部１３５から離脱しない。
【００３２】
トレー１３０が摺動し続けてトレー１３０に形成された第２カム軌跡１３４に、カム部材１８０のボス１８３が挿入される。この時、トレー１３０が摺動することによって第２カム軌跡１３４とボス１８３との干渉によりカム部材１８０は図５のＣ１方向に移動し、第１ラックギア１８２がピニオン１７１と連結される。トレー１３０が完全にローディングされれば、ピニオン１７１と第２ラックギア１３４との連結が終了しながらトレー１３０は摺動を停止する。ローディングモーター１７０が回転し続ければ、カム部材１８０が図５のＣ１方向に摺動し、シャフト１４２と第１カム軌跡１８１との干渉によりデッキ１４０は軸１１２を中心として回動される。したがって、スピンドルモーター１６０が第１ディスク２１０に向かって上昇する。
【００３３】
図８に示すようにターンテーブル１６１が第１ディスク２１０の下面２１１に接触すれば、第１ディスク２１０はスピンドルモーター１６０が上昇することによって第１搭載部１３５から離隔し始める。図１に示す従来の光ディスクドライブの場合にはこの状態でディスク５０がターンテーブル３４から離脱してローディングエラーが発生する恐れがあることは前述のようである。しかし、本実施例による光ディスクドライブはこれを防止するためにクランピング機構３００を具備している。図８に示すようにターンテーブル１６１が第１ディスク２１０の方に接近することによってクランパー３１０に設けられた鉄片３１１がターンテーブル１６１に設けられたマグネット（図示せず）の磁気力に引かれる。それにより、螺旋形アーム３２４が変形されながらクランパー３１０が第１ディスク２１０の方に接近される。クランパー３１０は第１ディスク２１０の上面２１２に接触する。スピンドルモーター１６０が上昇し続けることによってクランパー３１０はさらに上に押し上がる。スピンドルモーター１６０の上昇が終了すれば、図９に示すように弾性部材３２０の外周部３２１は第２フレーム１２０の支持部１２１から若干離隔して位置する。ターンテーブル１６１は第１ディスク２１０の下面２１１を支持し、クランパー３１０はマグネット（図示せず）の磁気力により第１ディスク２１０の上面２１２を支持する。スピンドルモーター１６０が回転すれば、クランピング機構３００は第１ディスク２１０を支持しながら回転する。
【００３４】
第１ディスク２１０をアンローディングさせる過程は前述した過程の逆順になる。ローディングモーター１７０が逆回転すれば、カム部材１８０が図５のＣ２方向に移動する。すると、第１カム軌跡１８１とシャフト１４２との干渉によりデッキ１４０が下降する。すると、スピンドルモーター１６０が下降することによってクランピング機構３００も共に下降する。弾性部材３２０の外周部３２１が支持部１２１に接触すれば、螺旋形アーム３２４が変形しながらクランパー３１０のみが下降する。スピンドルモーター１６０が下降し続けて弾性部材３２０の弾性力がマグネット（図示せず）の磁気力より大きくなる瞬間、クランパー３１０は第１ディスク２１０の上面２１２から離脱して螺旋形アーム３２４の弾性力により元の位置に復帰する。デッキ１４０が下降する間、ピニオン１７１と第２ラックギア１３３とは相互に離隔しているので、トレー１３０は動かない。カム部材１８０がＣ２方向に移動することによってボス１８３と第２カム軌跡１３４との干渉によりトレー１３０が図５のＢ２方向に若干押されると、ピニオン１７１と第２ラックギア１３３とが相互に連結される。この時、ピニオン１７１と第１ラックギア１８２との連結が終了し、デッキ１４０の下降が完了する。ローディングモーター１７０が回転することによってトレー１３０は図５のＢ２方向に摺動してアンローディングされる。
【００３５】
次に、第２ディスク２２０をローディングさせる過程を説明する。
【００３６】
デッキ１４０が上昇する以前までの過程は前述した第１ディスク２１０をローディングする過程と同一である。トレー１３０がローディングされる間に第２ディスク２２０は第２離脱防止部１３８にかかって第２搭載部１３６から離脱しない。デッキ１４０が上昇し始めれば、ターンテーブル１６１が第２ディスク２２０の下面２２１に接近する。これにより、図１０に示すようにマグネット（図示せず）の磁気力により螺旋形アーム３２４が変形しながらクランパー３１０が第２ディスク２２０の上面２２２に接近する。
【００３７】
ターンテーブル１６１が第２ディスク２２０の下面２２１に接触する時、クランパー３１０は第１搭載部１３５と同じ高さになる程に下降することが望ましい。また、ターンテーブル１６１が第２ディスク２２０の下面２２１に接触する時、クランパー３１０が第２ディスク２２０の上面２２２に接触するようにもできる。マグネット（図示せず）の磁気力の大きさ及び弾性部材３２０の弾性を適切に調節することによってクランパー３１０の下降位置を調節できる。以後の過程は前述した第１ディスク２１０をローディングする場合と同一である。デッキ１４０の上昇が完了すれば、図１１に示すように弾性部材３２０の外周部３２１は第２フレーム１２０の支持部１２１から若干離隔して位置する。ターンテーブル１６１は第２ディスク２２０の下面２２１を支持し、クランパー３１０はマグネット（図示せず）の磁気力により第２ディスク２２０の上面２２２を支持する。スピンドルモーター１６０が回転すれば、クランピング機構３００は第２ディスク２２０を支持しながらも回転する。第２ディスク２２０をアンローディングさせる過程は前述したローディング過程の逆順に進行する。
【００３８】
図１２は、クランピング機構の他の実施例を示した斜視図である。本実施例のクランピング機構３０１は図６に示すクランピング機構３００の一変形例であって、クランパー３１０と弾性部材３２０とが一体となったものである。図１２を見れば、３つの弾性アーム３４０がクランパー３３０から半径方向に延在して形成される。弾性アーム３４０の端部３４１は第２フレーム１２０の支持部１２１により支持される。参照符号３３１はターンテーブル１６１に設けられるマグネット（図示せず）の磁気力に引かれうる鉄片である。このような構成によりスピンドルモーター１６０が上昇することによってマグネット（図示せず）と鉄片３３１間に作用する磁気力に引かれて弾性アーム３４０が変形しながらクランパー３３０が下降し、スピンドルモーター１６０が下降すれば、弾性アーム３４０の弾性力によりクランパー３３０が上昇する。 
【００３９】
図１３は、クランピング機構の他の実施例を示した断面図である。
【００４０】
図１３を見れば、第２フレーム１２０には支持部１２１が設けられ、支持部材３５５が支持部１２１に上下及び左右に遊動可能に設置される。支持部材３５５の内側にはクランパー３５０が設置される。クランパー３５０にはターンテーブル１６１に設けられたマグネット（図示せず）の磁気力で引かれうるように鉄片３５１が設けられる。参照符号３６０はクランパー３５０をディスク２００から離隔される方向に支持部材３５５に対して付勢させる弾性部材である。本実施例では弾性部材３６０として圧縮コイルバネを使用する。
【００４１】
このような構成による作用効果は図８乃至図１１での説明とほぼ同一であるので、簡略に説明する。スピンドルモーター１６０がディスク２００の方に接近することによってターンテーブル１６１に設けられたマグネット（図示せず）と鉄片３５１との間に作用する磁気力によりクランパー３５０がディスク２００の方に接近してディスク２００が第１または第２搭載部１３５、１３６から離脱することを防止する。スピンドルモーター１６０が上昇し続けてディスク２００のクランピングが完了すれば、支持部材３５５は支持部１２１から若干離隔した位置まで上昇する。スピンドルモーター１６０が回転すると、クランピング機構３０２はターンテーブル１６１と対面してディスク２００を支持して回転する。
【００４２】
図１４は、クランピング機構の他の実施例を示す断面図であり、図１５及び図１６は図１４に示すクランピング機構による作用を示す断面図である。
【００４３】
図１４を見れば、第２フレーム１２０にはクランパー３７０が上下及び左右に遊動可能に設置される。クランパー３７０にはターンテーブル１６１に設けられたマグネット（図示せず）の磁気力で引かれうるように鉄片３７１が設けられる。第２フレーム１２０にはマグネット３８０が設けられる。本実施例によるクランピング機構３０３はスピンドルモーター１６０がディスク２００から離隔される時にクランパー３７０をディスク２００から離隔させる復帰部材としてマグネット３８０を使用することを特徴とする。マグネット３８０はターンテーブル１６１に設けられるマグネット（図示せず）より磁性の弱いものが望ましい。
【００４４】
このような構成により第１ディスク２１０をローディング／アンローディングさせる過程を説明する。
【００４５】
トレー１３０がローディングされる間、クランパー３７０はマグネット３８０と鉄片３７１間に作用する磁気力Ｆ１により図１４に示すように第２フレーム１２０の方に付着される。トレー１３０のローディングが完了し、スピンドルモーター１６０が上昇することによってターンテーブル１６１に設けられたマグネット（図示せず）の磁気力Ｆ２が鉄片３７１に影響を及ぼし始める。この磁気力Ｆ２がマグネット３８０の磁気力Ｆ１より大きくなれば、クランパー３７０は図１５に示すように第２フレーム１２０から離脱されて第１ディスク２１０の上面２１２に接触される。スピンドルモーター１６０の上昇が止まり、第１ディスク２１０のクランピングが完了すれば、クランパー３７０は図１６に示すように第２フレーム１２０から若干離隔した位置まで上昇する。磁気力Ｆ２が磁気力Ｆ１より大きいのでクランパー３７０はスピンドルモーター１６０が回転することによって第１ディスク２１０の上面２１２を支持して回転する。
【００４６】
アンローディングされる過程はローディング過程の逆順になる。スピンドルモーター１６０が下降することによってクランパー３７０も共に下降する。第１ディスク２１０が第１搭載部１３５に接触すると、クランパー３７０は第１ディスク２１０の上面２１２に接触した状態を維持し、スピンドルモーター１６のみが下降する。スピンドルモーター１６０が、磁気力Ｆ２が磁気力Ｆ１より小さくなる位置まで下降すると、クランパー３７０は磁気力Ｆ１により第２フレーム１２０の方に移動して図１４に示すような状態となる。第２ディスク２２０をローディング／アンローディングさせる過程も第１ディスク２１０をローディング／アンローディングさせる過程と同一であるので、重複する説明は省略する。
【００４７】
クランピング機構３００、３０１、３０２、３０３を具備する本実施例による光ディスクドライブは鉛直に設置された状態で第２ディスク２２０をローディングさせる時に特に効果的である。図１に示す従来の光ディスクドライブの場合にはターンテーブル３４がディスク６０を押し上げる時にクランパー４１がディスク６０の上面６２を支持できなくてディスク６０がターンテーブル３４から離脱するローディングエラーが発生しうることは前述した通りである。本実施例による光ディスクドライブによれば、ターンテーブル１６１が第２ディスク２２０の下面２２１に接触して上昇する間、第２ディスク２２０がターンテーブル１６１から離脱しないようにクランパー３１０、３３０、３５０、３７０が第２ディスク２２０の上面２２２を支持する。したがって、光ディスクドライブを鉛直に設置する場合にも、第２ディスク２２０を安定してローディングしうる。
【００４８】
前述した実施例ではターンテーブル１６１にマグネットが設けられ、クランパー３１０、３３０、３５０、３７０に鉄片が設けられる場合について説明した。しかし、本発明の範囲はこれに限定されない。前述した実施例と逆に、クランパー３１０、３３０、３５０、３７０にマグネットが設けられ、ターンテーブル１６１に鉄片が設けられるか、ターンテーブル１６１がマグネットに付着しうる材料で形成することも可能である。
【００４９】
また、ターンテーブル１６１及びクランパー３１０、３３０、３５０、３７０にマグネットがそれぞれ設けられることもある。この場合には、図１４に示す実施例の場合には第２フレーム１２０に設けられるマグネット３８０はターンテーブル１６１に設けられるマグネットよりその磁気力の大きさはさらに小さくならなければならない。
【００５０】
本発明は上記に説明し、図面に例示すものにより限定されるものではなく、特許請求の範囲内でさらに多くの変更及び変形が可能であることは言うまでもない。
【産業上の利用可能性】
【００５１】
本発明は水平及び鉛直に設置されて使用しうる光ディスクドライブに適用されてローディングされる過程でディスクがターンテーブルから離脱するローディングエラーを防止する。また、本発明は直径が相異なる２つ以上のディスクを選択的に搭載できる光ディスクドライブに適用されてローディングされる過程でディスクがターンテーブルから離脱するローディングエラーを防止する。
【図面の簡単な説明】
【００５２】
【図１】従来の光ディスクドライブを概略的に示す平面図である。
【図２】図１のＩ−Ｉ´線断面図である。
【図３】鉛直に設置される光ディスクドライブを示す斜視図である。
【図４】８０ｍｍのディスクが搭載される場合を示す断面図である。
【図５】本発明による光ディスクドライブの一実施例を示す分解斜視図である。
【図６】図５に示すクランピング機構を詳細に示す分解斜視図である。
【図７】クランピング機構と第２フレームとの結合関係を示す断面図である。
【図８】クランピング機構と第２フレームとの結合関係を示す断面図である。
【図９】第１ディスクをローディングさせる過程を示す断面図である。
【図１０】第１ディスクをローディングさせる過程を示す断面図である。
【図１１】第２ディスクをローディングさせる過程を示す断面図である。
【図１２】クランピング機構の他の例を示した斜視図である。
【図１３】弾性により復帰されるクランピング機構のさらに他の例を示す断面図である。
【図１４】磁性により復帰されるクランピング機構の一例を示す断面図である。
【図１５】磁性により復帰されるクランピング機構の一例を示す断面図である。
【図１６】図１４に示すクランピング機構の作用を示す断面図である。
【符号の説明】
【００５３】
１１０    第１フレーム
１１２  軸
１１３、１１４  ガイド部材
１２０  第２フレーム
１３０  トレー
１３１  ウィンド
１３２  レール
１３３  第２ラックギア
１３４  第２カム軌跡
１３５  第１搭載部
１３６  第２搭載部
１３７、１３８  第１及び第２離脱防止部
１３９  トレーの上面
１４０  デッキ
１４１  デッキの前面
１４２  シャフト
１４３  ガイドシャフト
１５０  光ピックアップ
１６０  スピンドルモーター
１６１  ターンテーブル
１７０  ローディングモーター
１７１  ピニオン
１８０  カム部材
１８１  第１カム軌跡
１８２  第１ラックギア
１８３  ボス
２００  ディスク
２１０  第１ディスク
２２０  第２ディスク
３００  クランピング機構
【図１】
2005032421.tif 000003
【図２】
2005032421.tif 000004
【図３】
2005032421.tif 000005
【図４】
2005032421.tif 000006
【図５】
2005032421.tif 000007
【図６】
2005032421.tif 000008
【図７】
2005032421.tif 000009
【図８】
2005032421.tif 000010
【図９】
2005032421.tif 000011
【図１０】
2005032421.tif 000012
【図１１】
2005032421.tif 000013
【図１２】
2005032421.tif 000014
【図１３】
2005032421.tif 000015
【図１４】
2005032421.tif 000016
【図１５】
2005032421.tif 000017
【図１６】
2005032421.tif 000018